(57)【要約】【課題】門扉の格子や盗難対象物に取り付けて不法侵入や盗難が発生した際に警報を発する有線警報装置を提供する。【解決手段】小判型をした基板に警報体が固設され警報体は磁気反応のアラーム回路と別系統のＯＮ／ＯＦＦ回路を保持している。アラーム回路はセンサーであるマグネットバーが警報体の側面に並列に位置する事により警報をＯＦＦに保持している。またマグネットバーにラインを結び先にフックを取り付ける。門扉にラインのフックを格子の軸体に囲撓係止しラインを張り渡し設置する。不法侵入者が門扉を開放するとラインが作動してマグネットバーが基板から離脱して警報音を発する。【選択図】        図５
0003103558.tif 000002
【実用新案登録請求の範囲】
【請求項１】
門扉の格子や盗難対象物に取り付けて不法侵入や盗難が発生した際に警報を発する有線警報装置であって小判型をした基板は鉄製(着磁体)で両端部には取付け用の穴が明いている。左側に大小３箇所の切り出し部が有りマグネットバーの着床部でここを基点と言う。大きい切出し部に添って警報体が固設され警報体には磁気反応のアラーム回路と別系統のＯＮ／ＯＦＦ回路を保持している。アラーム回路はセンサーであるマグネットバーが警報体の側面に並列に位置する事により警報をＯＦＦに保持している。またマグネットバー基点を離脱するとＯＮになり警報音を発する。マグネットバーが基点に着床して警報体と並列設置している状態を警報装置ユニットと言う。そしてマグネットバーの端部の穴にラインが結ばれライン先端にはフックが取り付けてあり、これをマグネットバーユニットと言う。ライン設置に際して先ずＯＮ／ＯＦＦ回路をＯＦＦにしてから。ラインのフックを門扉の格子の軸体に囲撓係止しラインを張り渡し設置する。設置の際。基板の穴は木材や立ち木に木ネジで取り付ける事ができる。次に警報装置ユニットのＯＮ／ＯＦＦ回路をＯＮにして準備完了とする。そして不法侵入者が前記に門扉を開放するとラインが作動してマグネットバーユニットが基点から離脱して警報音を発する事を特徴とする有線警報装置。
【考案の詳細な説明】
【技術分野】
【０００１】
本考案は有線警報装置に係わり不法侵入者に対し、ライン接触又は門扉開閉の作動により報知する有線警報装置に関する。
【背景技術】
【０００２】
盗難警報装置としては従来より種々の方式がある。一般的には例えば赤外線センサー。レーザー光線。防犯カメラ。等、主に取り付け工事が伴い又１００Ｖ電源が必要であり高価格である。
【考案の開示】
【考案が解決しようとする課題】
【０００３】
しかしながら１００Ｖ電源の確保。や樹木の茂みと高さが電波や光を遮る。高性能であるが高価格であり据付工事が必要。等多くの問題が有った。
【課題を解決するための手段】
【０００４】
本考案は以上のような課題に対処して創作したものであって。その目的とするところは設置に余り限定されない。１００Ｖ電源の確保は不要。電池電源を活用。据付工事が不要。警報装置を隠せるので茂みはあった方が良い等。不法侵入者の位置が容易に確認出来る。使用するラインが透明体なので不法侵入者が認識不能になり、且つ夜間の場合ラインに接触しても軽い力でマグネットバーが離脱するので不法侵入者が気付きにくい。警報装置はボタン電池内臓のため小型になり何処に設置したか分かりずらい。電池式なのにアラームは高音を発する。しかも連続で長時間鳴りつづける。以上の様に高機能にも係らず安価に提供出来る。
【０００５】
ここで門扉の格子や盗難対象物とは。家屋の玄関。窓。屋外に置いてある自転車。オートバイ用の自転車置き場。自動車ガレージのアコーデオン門扉。門扉。(アルミ鋳物製門扉はヒンジ部から引き抜いて持ち去る泥棒が増えている。)  前記警報装置とは。電池内臓式で磁気反応式の２系統の回路で構成されている。又、ラインが連結しているのでラインを張り渡す事でライン設置が完了する。その為。農園。果樹園。は人家の少ない所で１００Ｖ電源の無い所が多いので適している。
【考案の効果】
【０００６】
本考案の有線警報装置はアプローチの固定物や盗難対象物へ不法侵入者が接触した際ライン７が作動する時、小さい力で警報装置が作動する。マグネットバー６が基点より離脱するのは面に添ってスライドする為。磁力は面に垂直の時強いので多少の振動では誤動作しない長所がある。有線式なのでライン７の長さを１０メートル以上でも性能を保持する。  ライン７が透明体で且つ細いので不法侵入者が認識しずらい。  電源が電池の為１００Ｖ電源不要。小型なので不法侵入者には見つけずらい。  ラインのフックにより格子軸体９への囲撓係止が容易である。以上の機能を有するのに安価である。
【考案を実施するための最良の形態】
【０００７】
本実施形態の有線警報装置は、磁気センサー型で外部磁界の作用する事により無接触でスイッチをＯＮ／ＯＦＦ動作が出来るリードスイッチを使用する。
【実施例１】
【０００８】
図１に示す様に小判型をした基板１は鉄製(着磁体)で両端部には取付け用の穴２が明いている。左側に大小３箇所の切り出し部４が有りマグネットバー６の着床部でここを基点４‘と言う。大きい切出部４に添って警報体３が固設され警報体３は磁気反応のアラーム回路と別系統のＯＮ／ＯＦＦ回路５を保持している。アラーム回路はセンサーであるマグネットバー６が警報体３の側面に並列に位置する事により警報をＯＦＦに保持している。またマグネットバー６が基点４’を離脱するとＯＮになり警報音を発する。マグネットバー６が基点４‘に着床して警報体３と並列設置している状態を警報装置ユニット１０と言う。そしてマグネットバー６の端部の穴にライン７が結ばれライン７先端にはフック８が取り付けてある。ライン７の設置に際して先ずＯＮ／ＯＦＦ回路５をＯＦＦにしてから。ライン７のフック８を門扉の格子の軸体９に囲撓係止しライン７を張り渡し設置する。設置の際。基板１の穴２は木材や立ち木に木ネジで取り付ける事ができる。次に警報装置ユニット１０のＯＮ／ＯＦＦ回路を５ＯＮにして準備完了とする。そして不法侵入者が門扉を開放するとライン７が作動してマグネットバー６が基点４’から離脱して警報音を発する。電源はボタン電池を使うため小型に仕上がる。電子アラームのため高音を発する。
【０００９】
ライン７は透明体のラインでフイッシングラインを使用する。ライン７は細くて強いので０、０１ｍｍから有るが０、２ｍｍの２号ライン相当が実用で使用すると良い。人間の視力では昼間でも判別付きにくいので状況に応じて使い分けが可能である。ライン７先のフック８も釣り用のフックを使う事により門扉の格子の軸体９に囲撓係止
するのでライン７の設定時のリピート活用に便利である。
【産業上の利用可能性】
【００１０】
本実施形態は家屋(屋敷)内外全域。農園。果樹園。自動車内外。ガレージ。自転車置き場。等に設置する事ができる。この場合装置が外部より見えない様設置すると良い。農園。果樹園等屋外に設置する場合雨除けを兼ねてフイルムで蔽う事で目隠しを兼ねると更に有効である。
【図面の簡単な説明】
【００１１】
【図１】基板に警報体を固設したユニットの姿図である。
【図２】センサーのマグネットバーユニット(ラインとフックが結ばれている。)を示した説明図である。
【図３】ラインを軸体に囲撓係止した状態を示す。
【図４】警報装置ユニットでマグネットバーが基点に着磁した常態図を示す。
【図５】門扉への実施状況図を示す。
【図６】アコーデオン門扉への実施状況図を示す。
【図７】門柱間の実施状況図を示す。
【図１】
0003103558.tif 000003
【図２】
0003103558.tif 000004
【図３】
0003103558.tif 000005
【図４】
0003103558.tif 000006
【図５】
0003103558.tif 000007
【図６】
0003103558.tif 000008
【図７】
0003103558.tif 000009
【手続補正書】
【提出日】平成16年4月14日(2004.4.14)
【手続補正１】
【補正対象書類名】実用新案登録請求の範囲
【補正対象項目名】請求項１
【補正方法】変更
【補正の内容】
【請求項１】
門扉の格子や盗難対象物と警報装置の間をラインで連結し不法侵入や盗難が発生した際ライン作動により警報を発する有線警報装置において
（１）基板は鉄製で警報体を取り付けるための小穴を有している。
（２）警報体は磁気反応のアラーム回路を有しているので基板の中央部に固設する。
（３）マグネットバーの端部にラインが結ばれ所定の長さの先端にフックが取り付いている、そして磁気センサーとしての役割で警報体の左側面に並列に磁力着床している。
（４）ラインは盗難対象物とマグネットバーの間の所定の距離をライン張設する。
以上４ヶの主要構成部品により施設する、ラインが引かれると前記基板からマグネットバーが外れ警報音を発する事を特徴とする有線警報装置。